(57)【要約】【課題】バスバーのモールド部のキーの位置により該当のハウジング本体に結合する。【解決手段】連結片１２の切断部１８により、タブ端子１１を短絡群に分離し、モールド部のキー１７の位置によってバスバー１３の切断による種類を判別できる。モールド部１４に設けたキー１７の位置により、バスバー１３は所定のキー溝２２を有するハウジング本体２１のみに嵌合することができる。【選択図】        図３
2005071614.tif 000002
【特許請求の範囲】
【請求項１】
複数個のタブ端子を有するバスバーをハウジング本体に嵌合して、前記タブ端子を前記ハウジング内の接続端子と結合して前記接続端子同士を短絡して回路構成をするジョイントコネクタにおいて、前記バスバーの中間部を合成樹脂によりモールドしたモールド部の周辺に、前記ハウジング本体のキー溝に嵌合するリブ状のキーを設け、前記バスバーの種類を前記キーの位置によって表し、前記キーが前記ハウジング本体に設けた前記キー溝の位置に合致する場合にのみ、前記バスバーが前記ハウジング本体に嵌合するようにしたことを特徴とするジョイントコネクタ。
【請求項２】
前記キーの位置は複数とし、これらのキーの存否の組合わせにより前記バスバーの種類を表すようにした請求項１に記載のジョイントコネクタ。
【発明の詳細な説明】
【０００１】
【産業上の利用分野】
本発明は、相手側接続端子と接続するためのジョイントコネクタに関するものである。
【０００２】
【従来の技術】
ジョイントコネクタは例えば自動車のハーネス回路等において、電線の少数の母線から複数の子線に分岐・接続することができ、ワンタッチで多数の接続端子間の接続を一挙に達成する。
【０００３】
一般に、この種のジョイントコネクタでは、例えば特許文献１に記載の図９に示すように、導電金属板を打ち抜いてタブ端子１の基部を断面コ字状にしたバスバー２の中間部をモールドして、相手側接続端子３と嵌合するようにしている。
【０００４】
【特許文献１】
特開平８−３２１３６６号公報
【０００５】
上述のバスバー２は図１０に示すように複数個のタブ端子１を連結片４により連結し、連結片４に対しタブ端子１を断面コ字状に屈曲し、この連結片４を適宜に切断して複数組の短絡群を形成してから、合成樹脂によりモールドしている。
【０００６】
【発明が解決しようとする課題】
しかし、連結片４の切断個所によって、バスバー２におけるタブ端子１の組合わせの種類は相当な数となる。そして、このバスバー２を該当のハウジング本体に、その種類を間違えずに嵌合しなけれなならない。
【０００７】
本発明の目的は、上述の問題を解消し、バスバーのモールド部に設けたキーの位置により正確にハウジング本体とバスバーとを結合し得るジョイントコネクタを提供することにある。
【０００８】
【課題を解決するための手段】
上述の目的を達成するための本発明に係るジョイントコネクタは、複数個のタブ端子を有するバスバーをハウジング本体に嵌合して、前記タブ端子を前記ハウジング内の接続端子と結合して前記接続端子同士を短絡して回路構成をするジョイントコネクタにおいて、前記バスバーの中間部を合成樹脂によりモールドしたモールド部の周辺に、前記ハウジング本体のキー溝に嵌合するリブ状のキーを設け、前記バスバーの種類を前記キーの位置によって表し、前記キーが前記ハウジング本体に設けた前記キー溝の位置に合致する場合にのみ、前記バスバーが前記ハウジング本体に嵌合するようにしたことを特徴とする。
【０００９】
【発明の実施の形態】
本発明を図１〜図８に図示の実施の形態に基づいて詳細に説明する。
図１は本実施の形態のバスバーの斜視図である。図１０に示すような形態の１４個のタブ端子１１のうち、上部の２個のタブ端子１１をコネクタの配列の都合で除去し、計１２個のタブ端子１１を連結片１２により連結したバスバー１３は、その中間部を合成樹脂のモールド部１４によりモールドされている。そして、バスバー１３の後面の連結片１２がモールド部１４から露出されている。またモールド部１４には、後述する接続端子を収納したハウジング本体に結合する場合に使用するガイド部１５、係止爪１６が設けられている。更に、モールド部１４にはタブ端子１１の種類を示し、ハウジング本体のキー溝と合致した場合にのみ、ハウジング本体への結合を可能とする複数個のリブ状のキー１７が設けられている。そして、キー１７の設置位置は１７ａ、１７ｂ、１７ｃの例えば３個所とされている。
【００１０】
このままの状態においては、バスバー１３の各タブ端子１１は電気的に一体となっているので、回路的に分岐するためには、タブ端子１１を分離しなければならない。実施の形態においては、目的とする回路構成に従って、図２に示すようにバスバー１３の連結片１２を切断して、タブ端子１１を幾つかの短絡群に分離した上で、ハウジング本体２１に結合し、ハウジング本体２１内の図示しない接続端子にタブ端子１１を嵌合することにより、接続端子をタブ端子１１による短絡によってグルーピングする。
【００１１】
バスバー１３の連結片１２の切断には専用の切断装置を用いて、例えば図３〜図５に示すように連結片１２に切断部１８を形成する。このとき、バスバー１３の中間部は既にモールド部１４によってモールドされているために、連結片１２が切断されてもタブ端子１１はばらばらになることはない。なお、この場合にモールド部１４に予め形成されているキー１７は、バスバー１３のグルーピングの種類合わせをカットし、種類を表しているので、バスバー１３の切断個所はキー１７の位置の組合わせと合致する必要がある。
【００１２】
例えば図３においては、バスバー１３は切断部１８ａによって７個のタブ端子１１と５個のタブ端子１１とに分けられ、キー１７ａ、１７ｂが存在し、ハウジング本体２１にはこれに相当するキー溝２２ａ、２２ｂが形成されている。
【００１３】
また図４においては、切断部１８ｂ、１８ｃにより４個のタブ端子１１を３個のタブ端子１１と５個のタブ端子１１とに分けられ、キー１７ａ、１７ｂ、１７ｃが存在し、ハウジング本体２１にはキー溝２２ａ、２２ｂ、２２ｃが設けられている。図５においては切断部１８ｄ、１８ｅ、１８ｆにより、４組の３個のタブ端子１１に分けられ、キー１７ａ、１７ｃが存在し、ハウジング本体２１にはキー溝２２ａ、２２ｃが設けられている。
【００１４】
このように、連結片１２に切断部１８を形成することにより、タブ端子１１を短絡群に分離できるが、この分離はキー１７の位置の組合わせて一致しているために、キー１７の位置によってバスバー１３の切断による種類を判別できる。
【００１５】
バスバー１３をモールド部１４、ガイド部１５を用いて、図６を経て図７に示すようにハウジング本体２１に挿着することにより、各タブ端子１１をハウジング本体２１内の接続端子と嵌合する。このとき、モールド部１４に設けたキー１７の位置、ハウジング本体２１に設けたキー溝２２により、バスバー１３は所定のハウジング本体２１のみに嵌合するので、回路構成の誤りの発生を防止できる。また、係止爪１６はハウジング本体２１内の対位係止部に係止して錠止がなされ、ハウジング本体２１からバスバー１３は容易に外れなくなる。
【００１６】
続いて、図８に示すようにヒンジ２３を介してハウジング本体２１に連結されたカバー２４を、バスバー１３の後部に被せることにより、バスバー１３のハウジング本体２１への正確な結合が完了する。
【００１７】
【発明の効果】
以上説明したように本発明に係るジョイントコネクタは、バスバーの切断はキーの配置と一致しているので、ハウジング本体のキー溝と合致させることにより、ハウジング本体に必要な種類のバスバーのみを嵌合することができる。
【図面の簡単な説明】
【図１】バスバーの斜視図である。
【図２】バスバーをモールドした状態とハウジング本体の斜視図である。
【図３】バスバーを切断した状態のキーの位置とジョイントコネクタのハウジングのキー溝の位置の説明図である。
【図４】バスバーを切断した状態のキーの位置とジョイントコネクタのハウジングのキー溝の位置の説明図である。
【図５】バスバーを切断した状態のキーの位置とジョイントコネクタのハウジングのキー溝の位置の説明図である。
【図６】バスバーをハウジングに装着し始めた状態の斜視図である。
【図７】バスバーをハウジングに装着した状態の斜視図である。
【図８】ハウジングのカバーを被着した状態の斜視図である。
【図９】従来例のバスバーを使用したジョイントコネクタの断面図である。
【図１０】バスバーの斜視図である。
【符号の説明】
１１  タブ端子
１２  連結片
１３  バスバー
１４  モールド部
１７  キー
１８  切断部
２１  ハウジング本体
２２  キー溝
【図１】
2005071614.tif 000003
【図２】
2005071614.tif 000004
【図３】
2005071614.tif 000005
【図４】
2005071614.tif 000006
【図５】
2005071614.tif 000007
【図６】
2005071614.tif 000008
【図７】
2005071614.tif 000009
【図８】
2005071614.tif 000010
【図９】
2005071614.tif 000011
【図１０】
2005071614.tif 000012